(57)【要約】      （修正有）【課題】花束、アレンジメントフラワー、ケーキ等を彩る装飾材のメッセージ性を高めると同時に、装飾材を軽量化させるメッセージ装飾材を提供する。【解決手段】紙材を用いたメッセージ本体部１１と、メッセージ本体部の下部に設けた下方に伸びる脚部１４とを備える。メッセージ本体部は、メッセージを構成するキャラクタの非構成部分の一部または全部を切除（打ち抜き等）して成形するものであり、脚部は、メッセージ本体部の横幅または重量に応じ、均等バランスをとることの出来る位置に一以上設ける。メッセージ本体部は紙材によって成形するので軽量化、コスト低減を図ることが出来る。キャラクタの非構成部分の一部または全部を切除して成形することにより、さらに軽量化を図り、空気抵抗を減らし、持ち歩いたときの見栄えを向上させることが可能となる。【選択図】図１
0003219638.tif 000002
【実用新案登録請求の範囲】
【請求項１】
花束、アレンジメントフラワー、ケーキ等に用いるメッセージ装飾材であって、
当該メッセージ装飾材は、
紙材を用いたメッセージ本体部と、
当該メッセージ本体部の下部に設けた下方に伸びる脚部とを備え、
前記メッセージ本体部は、
メッセージを構成するキャラクタの非構成部分の一部または全部を切除して成形するものであり、
前記脚部は、
メッセージ本体部の横幅または重量に応じ、
均等バランスをとることの出来る位置に一以上設けることを特徴とするメッセージ装飾材。
【請求項２】
メッセージを構成するキャラクタは、
左右に隣接するキャラクタ同士を隙間を設けず接続させて構成すること特徴とする請求項１記載のメッセージ装飾材。
【請求項３】
メッセージを構成するキャラクタを上下二段以上に配列し、
上下に位置するキャラクタ同士を、
直接接続または台紙を介した間接接続により構成することを特徴とする請求項１または請求項２記載のメッセージ装飾材。
【考案の詳細な説明】
【技術分野】
【０００１】
本考案は、花束、アレンジメントフラワー、ケーキ等に用いるメッセージ装飾材に関する。
【背景技術】
【０００２】
図５は、従来提案された花束を彩る第一の装飾材である（特許文献１）。
【０００３】
この特許文献１に係る装飾材は、毛糸等で作成した動物の頭部１を用いるもので、季節や行事に関係なく、繰り返して使用できる点に特徴がある。２は、花束に当該装飾品（１）を差し込むための脚部である。
【０００４】
図６は、従来提案された花束を彩る第二の装飾材である（特許文献２）。
【０００５】
この特許文献２に係る装飾材は、写真を花束に添えるもので、写真を入れるプレート材４と、このプレート材４を花束に差し込む脚部５とから成る。
【先行技術文献】
【特許文献】
【０００６】
【特許文献１】実用新案登録第３２１６１５８号
【特許文献２】特開２００３−１０７９９７号
【考案の開示】
【考案が解決しようとする課題】
【０００７】
特許文献１、２に係る装飾材は、花束やケーキ等を彩る点では優れているが、贈り主の気持ちを直截的に表現できないという難がある。
【０００８】
動物の頭部を用いる特許文献１の考案は、装飾性もあるし間接的なメッセージ性も有る。しかし、各種の慶弔に用いるときは、適切ではない場合もある。
【０００９】
特許文献１の考案は、例えば、子供の誕生日に用いるのは良いが、婚約祝い、昇進祝い、開業祝い等、大人の慶弔事に用いるには必ずしも適さない。
【００１０】
装飾材として写真を用いる特許文献２の考案は、各種の慶弔に適用できる一方で、誕生日や合格を祝するときに、ダイレクトなメッセージを表現しにくいという難がある。
【００１１】
他の課題として、装飾材の重量の問題がある。
【００１２】
特許文献１、２の考案は、共に構成条件から必然的に重量が大きくなる可能性が高い。
【００１３】
特許文献１に係る考案は、毛糸等を用いた動物の頭部であるが、軽量化を図っても、花束やアレンジメントフラワーに挿したときに当該装飾材が沈む可能性が残る。運搬時、搬送時に受ける振動や揺れがあれば、装飾材が花束の中に沈み込む可能性がある。
【００１４】
特許文献２に係る考案は、透明樹脂製のプレート材（４）を用いるので、特許文献１に係る装飾材と同様に、重量によっては花束やアレンジメントフラワーの中に沈み込む可能性がある。このため特許文献２に係る考案は、脚部（５）の構造に沈み込みを防止する工夫を施している。このためコストが高くなるという別の問題を惹起する。
【００１５】
以上のように、メッセージ性の点、重量の点で、従来の装飾材は改善の余地を残している。
【００１６】
そこで、本考案の目的は、花束、アレンジメントフラワー、ケーキ等を彩る装飾材のメッセージ性を高めると同時に、当該装飾材を軽量化させる点にある。
【課題を解決するための手段】
【００１７】
前記目的を達成するため、本考案に係るメッセージ装飾材は、紙材を用いたメッセージ本体部と、当該メッセージ本体部の下部（とくに最下部）に設けた下方に伸びる脚部とを備え、前記メッセージ本体部は、メッセージを構成するキャラクタの非構成部分の一部または全部を切除（打ち抜き等）して成形するものであり、前記脚部は、メッセージ本体部の横幅または重量に応じ、均等バランスをとることの出来る位置に一以上設ける（請求項１）。
【００１８】
かかる構成によれば、メッセージ本体部に、文字や数字、或いは図形等のキャラクタを用いて贈り主の気持ちを直截的に表現することが可能となる。また、メッセージ本体部は紙材によって成形するので軽量化、コスト低減を図ることが出来る。
【００１９】
メッセージ本体部には紙材を用いるが、メッセージを構成するキャラクタの非構成部分の一部または全部を切除（打ち抜き等）して成形することにより、さらに軽量化を図り、また見栄えを向上させることが可能となる。
【００２０】
キャラクタの非構成部分の一部または全部を切除すると、花束等を持って歩くときに、メッセージ本体部が受ける空気抵抗が低減する。
【００２１】
メッセージ本体部は軽量の紙製であるため、空気抵抗の負荷が大きいと、メッセージ本体部は、後方へ傾斜したり、揺動する等、花束を持ち歩くときの美観（外観品質）を損なう虞れがある。しかし、空気抵抗を低減させることによって、メッセージ本体部の傾倒／揺動を最小限に抑え、持ち歩き時の美観を保つことが可能となる。
【００２２】
脚部は、メッセージ本体部の横幅または重量に応じ、均等バランスをとることの出来る位置に設けるので、搬送中におけるメッセージ装飾材の沈み込みは確実に防止できる。
【００２３】
メッセージを構成するキャラクタ（文字、数字、図形、記号等）は、左右に隣接するキャラクタ同士を隙間を設けず接続させて構成する場合がある（請求項２）。
【００２４】
左右に隣接するキャラクタ同士を隙間を設けず接続させることで、メッセージ本体部の装飾性が高まり、また、面積をよりコンパクトにすることが出来る。
【００２５】
メッセージを構成するキャラクタを上下二段以上に配列し、上下に位置するキャラクタ同士を、直接接続または台紙を介した間接接続により構成する場合がある（請求項３）。
【００２６】
文字数等が多い場合、上下二段以上の文字配列とすることにより、贈り主の気持ちを適切に表現できるからである。この場合も、上下に位置するキャラクタ同士を、直接接続または台紙を介した間接接続により構成することによって、メッセージ本体部の装飾性を高め、表示面積をコンパクト化することが出来る。
【考案の効果】
【００２７】
本考案に係るメッセージ装飾材によれば、花束、アレンジメントフラワー、ケーキ等を彩る装飾材のメッセージ性を高めるとともに、装飾材を軽量化し、空気抵抗を減らすことによって持ち歩き時の外観品質を綺麗に保つことが出来る。
【図面の簡単な説明】
【００２８】
【図１】本考案に係るメッセージ装飾材の第一の実施形態を示す図である。
【図２】図１に示すメッセージ本体部を拡大して例示する図である。
【図３】本考案に係るメッセージ装飾材の第二の実施形態を示す図である。
【図４】図３に示すメッセージ本体部を拡大して例示する図である。
【図５】従来のメッセージ装飾材の第一を例示する図である。
【図６】従来のメッセージ装飾材の第二を例示する図である。
【考案を実施するための形態】
【００２９】
図１は、本考案に係るメッセージ装飾材の第一の実施形態を示すものである。
【００３０】
このメッセージ装飾材１０は、紙材を用いたメッセージ本体部１１と、当該メッセージ本体部１１の最下部に設けた下方に伸びる脚部１４とを備える。符号Ｂは、装飾対象、例えば花束である。
【００３１】
メッセージ本体部１１は、メッセージを構成するキャラクタ列からなるが、本実施形態では、例えば、筆記体で表した二段書きの英文「HappyBirthday」と、星マークをもって構成してある。
【００３２】
図２にも示すように、この実施形態では、英文「HappyBirthday」を筆記体で表現し、各文字の間に隙間を設けず各文字を接続させてある。また、上段文字列と下段文字列の一部を適宜箇所で接続させてある。
【００３３】
そして、キャラクタ（英文字、星マーク）の輪郭に余白が出来ないよう、輪郭線に沿って切除し、かつ、「HappyBirthday」の文字列を構成するキャラクタの文字の非構成部分を切除した。文字の非構成部分の切除箇所を、符号Ｑで示した（図２参照）。
【００３４】
メッセージ本体部１１は、紙材で構成する。軽量化と、製造コストを抑制するためである。
【００３５】
メッセージ本体部１１に用いる紙材は、例えば、厚紙（ボール紙）や上質紙を用いることが出来る。自由な印刷が出来る等の汎用性があり、コストを抑えることが出来るからである。
【００３６】
紙材は、軽量であり、空気抵抗を受けた場合の撓み性能と原状回復性能に優れる。耐水性も問題がない。とくに防水処理を施せば、持ち歩き時に雨水等を受けても形状を劣化変化させない。
【００３７】
紙材の肉厚は各種あるが、厚紙を用いる場合は、例えば、肉厚０．２ｍｍ〜０．８５ｍｍ程度とすることが出来る。肉厚を具体的に例示すると、官製はがきの肉厚が０．２２ｍｍ、菓子折箱が肉厚０．５ｍｍ程度、クレジットカードの肉厚が０．８４ｍｍ程度である。上質紙を用いる場合は、肉厚は０．０９ｍｍ（坪量５２．３g/m2以上）とすることが望ましい。これらは、メッセージ本体部１１に要求される各種条件、例えば、軽量性、強度、撓み性能、耐水性等の条件を満たすことが出来る。
【００３８】
メッセージを構成するキャラクタは、贈り主の意思を表現できる適宜の言語、例えば、英語等の欧文、日本語、中国語、その他の言語の文字列と、数字、記号、シンボルマーク（図形）等を組み合わせて構成することが出来る。
【００３９】
メッセージを構成するキャラクタは、カラー表示させることが好ましい。装飾の華やかさを向上させ、またバリエーションを豊富化させるためである。
【００４０】
キャラクタをカラー表現するためには、例えば、二通りの方法がある。
【００４１】
第一は、キャラクタ部分だけをカラー印刷してキャラクタ部分を切除する方法、第二は、下地材として予めカラー印刷してある台紙からキャラクタ部を切除する方法である。いずれであっても良い。
【００４２】
印刷コストを低減させる点からは、第一の方法が好ましいが、正確な切除の位置決めが難しくなる不利がある。第二の方法は、位置決めの困難性はないがカラー印刷コストが嵩む難がある。従って、打ち抜き装置（切除装置）の性能等に応じて適宜の手段を選択することが好ましい。
【００４３】
図１に示す筆記体で表した英文「HappyBirthday」を台紙から切除する場合は、例えば、画像処理位置決め加工機を用いた中型連続プレス加工、高速打ち抜き機を用いた小型連続プレス加工、ロール材を用いたフィルムプレス加工等、各種の打ち抜き加工の手段を用いることが出来る。また、打ち抜き成形に限らず、カッター等を用いた手動切除でも良い。
【００４４】
プレス加工機を用いると、英文「HappyBirthday」の輪郭と、キャラクタの非構成部分を同時に切除できるので、短時間で大量のメッセージ装飾材１０（メッセージ本体部１１と脚部１４）を製造することが出来る。
【００４５】
脚部１４は、メッセージ本体部１１に接続させて設ける。下方に伸びる細長い形状、例えば逆二等辺三角形の形状を呈する紙材である。紙材を用いる場合は、メッセージ本体部１１の切除（打ち抜き等）と同時に切除成形することが出来る。紙材以外の素材を用いる場合は、切除加工したメッセージ本体部１１の下端部に接着等の適宜手段により脚部１４の上端を固定する。
【００４６】
脚部１４は、花束、アレンジメントフラワー、ケーキ等に差し込んでメッセージ本体部１１を安定させるものである。紙材を用いるメッセージ本体部１１は軽量であるから、脚部１４には高い強度を要求されない。縦長の紙材であっても実用に耐える。勿論、紙以外の軽量材（例えば適宜形状の木製材やプラスチック材等）を用いても良い。
【００４７】
脚部１４は、メッセージ本体部１１の面積が小さな場合は一本でも良い。しかし、メッセージ本体部１１の面積がある程度の大きさをもち、一本の脚部１４ではバランスを取りにくい場合は、脚部１４は二本以上設けることが望ましい。
【００４８】
かかる構成によれば、メッセージ本体部１１に文字等のキャラクタを使用することによって、贈り主の気持ちを直截的に相手に伝えることが出来る。
【００４９】
メッセージ本体部１１は紙材によって構成するので、軽量であり、脚部１４を花束等に差し込んで持ち歩いても沈み込みが生じにくい。
【００５０】
また、メッセージ本体部１１を構成する文字列は、隙間を設けず各文字を接続させた上で、キャラクタ（文字）の非構成部分を切除してあるので、花束やアレンジメントフラワー等を持ち歩いても、メッセージ本体部１１は一体性を保つ。文字部分に空気を通過させる孔（非構成部分の切除箇所）があるため、空気抵抗によるメッセージ本体部１１の傾きを抑え、常に優れた外観品質を保つことが出来る。
【００５１】
図３は、第二の実施形態に係るメッセージ装飾材２０を示すものである。このメッセージ装飾材２０は、和文表記したメッセージ本体部２１と、当該メッセージ本体部２１の下部に設けた、下方に伸びる脚部２４とを備える。
【００５２】
メッセージ本体部２１は、図４に示すように、紙製である台紙２２にメッセージ文を印字し、台紙２２の不要部分（キャラクタの非構成部分）を切除して面積を小さくするとともに、メッセージ文を構成する漢字／かなのキャラクタの非構成部分の適宜箇所を切除して形成する。
【００５３】
漢字／かな表記の和文は、アルファベット表記の場合と異なり、隣接する左右の文字を接続させることが難しい。漢字もかなも、文字の構成要素が離隔している場合が多いからである。
【００５４】
漢字は、偏（へん、左側）、旁（つくり、字の右側）、冠（上側）、脚（下側）のように、文字の構成要素が離れており、それらの隙間は詰めて接続させることが困難である。
【００５５】
かなは、濁音を表示する濁音点、半濁音を表示する半濁音点、撥音を表示するなど、漢字と同様に文字の構成要素が離れており、それらの隙間は詰めて接続させることは難しい。撥音を表示する小文字、長音符号も同様である。
【００５６】
このため、和文表記のメッセージ本体部２１は、文字の構成要素の離隔部分はそのまま残し、左右の各文字の隙間も残して表示することが望ましい場合が多い。
【００５７】
図４において、符号Ｓで示す斜線部分は、台紙２２から切除することの出来る不要部分を例示するものである。
【００５８】
不要部分の切除は、メッセージ本体部２１の軽量化、持ち歩き時の空気抵抗の軽減等のためである。図１、図２に示した英文表記の場合と同じである。
【００５９】
すでに述べたように、日本語表記は、漢字の偏（へん）や旁（つくり）、かなの濁音点や半濁音点など、文字（キャラクタ）の構成要素に隙間が必要なため、左右／上下の文字を接続させて表記することは難しいところ、台紙２２に印刷した文字（キャラクタ）を残して、不要部分を切除することにより、英文等の欧文表記と同様の効果を得る。
【００６０】
日本語表記の場合は、文字の輪郭線に沿って切除すると強度を保ちにくい。従って、例えば、文字列の最外郭部分を打ち抜き等によって切除し、メッセージ本体部２１の強度を保つことが望ましい。左右の文字を接続させやすい欧文表記の場合は、キャラクタの輪郭線に沿った打ち抜き等による切除が容易である。
【００６１】
上記説明では、メッセージ本体部（１１、２１）や脚部（１４、２４）に厚紙や上質紙を用いる旨説明したが、本考案に係るメッセージ装飾材は、各種の紙材を用いることが出来る。
【００６２】
例えば、ボール紙等の板紙材のほか、アート紙、コート紙、マット紙等、名称の区分によらず、適宜の紙材を選択使用できる。
【００６３】
また、紙材にカラー材（彩色材）を用いるときは、カラー台紙の使用、カラー印刷した台紙の使用のほか、全体または一部に金箔／銀箔を施した紙材を使用しても良い。紙材にエンボス加工（凹凸加工）を施して、質感等の表現に変化をもたせても良い。
【００６４】
本考案に係るメッセージ装飾材は、欧文、和文、その他の言語文字を用いて贈り主の気持ちを表現するが、文章を彩るマーク等の適宜の図形キャラクタを用いても良い。
【００６５】
前記実施形態では、メッセージ本体部を平板状に図示したが、必要に応じてメッセージ本体部の外観形状をアレンジしても良い。例えば、外観形状略円筒形、外観形状略多角筒形、平面形状略Ｕ字状、平面形状略Ｖ字状等である。形状に応じて、脚部はバランスを保ちやすい箇所に適宜本数設ける。
【００６６】
メッセージ本体部は、多数枚の紙材をもって構成しても良い。例えば、しかけ絵本（pop-up book；飛び出す絵本 ）を模したミニチュアサイズの装飾材とすることも出来る。
【００６７】
軽量化のために、メッセージ本体部を構成するキャラクタや台紙に、多数の小孔を設ける等の加工を施しても良い。
【符号の説明】
【００６８】
１０、２０  メッセージ装飾材
１１、２１  メッセージ本体部
１４、２４  脚部
２２  台紙
Ｂ  装飾対象（花束）
Ｑ  切除箇所
Ｓ  不要部分（キャラクタの非構成部分）
【図１】
0003219638.tif 000003
【図２】
0003219638.tif 000004
【図３】
0003219638.tif 000005
【図４】
0003219638.tif 000006
【図５】
0003219638.tif 000007
【図６】
0003219638.tif 000008